(57)【要約】【課題】フレーム部の強度を向上させると共にブラシ部の線材の変形を抑えることができる空気調和機のフィルタ清掃機構および空気調和機を提供する。【解決手段】空気調和機のフィルタ清掃機構４０は、フィルタ２１と、フレーム部７１と、ブラシ部７２とを備える。フィルタ２１は、透過する空気から塵埃を除去する。フレーム部７１には、開口７１ａと、開口７１ａに亘って設けられた補強部材７８ａとが設けられている。ブラシ部７２は、フレーム部７１に支持される芯材７６と、芯材７６の周面に設けられた複数の線材７７とを有し、フレーム部７１の開口７１ａを通ってフレーム部７１から外部に突出する線材７７がフィルタ２１に接触することによりフィルタ２１から塵埃を除去する。そして、補強部材７８ａは、芯材７６側に位置する内側端部６１と、内側端部６１よりも芯材７６と反対側に位置し、内側端部６１よりも厚さが大きい外側端部６２とを有する。【選択図】図５
2008145057.tif 000002
【特許請求の範囲】
【請求項１】
透過する空気から塵埃を除去するフィルタ（２１）と、
開口（７１ａ）と、前記開口（７１ａ）に亘って設けられた補強部材（７８ａ）とが設けられたフレーム部（７１）と、
前記フレーム部（７１）に支持される芯材（７６）と、前記芯材（７６）の周面に設けられた複数の線材（７７）とを有し、前記フレーム部（７１）の開口（７１ａ）を通って前記フレーム部（７１）から外部に突出する前記線材（７７）が前記フィルタ（２１）に接触することにより前記フィルタ（２１）から塵埃を除去するブラシ部（７２）と、
を備え、
前記補強部材（７８ａ）は、前記芯材（７６）側に位置する内側端部（６１）と、前記内側端部（６１）よりも前記芯材（７６）と反対側に位置し、前記内側端部（６１）よりも厚さが大きい外側部分（６２，６３）とを有する、
空気調和機（１）のフィルタ清掃機構（４０）。
【請求項２】
前記外側部分（６２，６３）は、前記補強部材（７８ａ）のうち前記芯材（７６）と反対側に位置する外側端部（６２）である、
請求項１に記載の空気調和機（１）のフィルタ清掃機構（４０）。
【請求項３】
前記芯材（７６）の表面から前記補強部材（７８ａ）の外側端部（６２）までの距離は、前記線材（７７）の長さよりも小さい、
請求項２に記載の空気調和機（１）のフィルタ清掃機構（４０）。
【請求項４】
前記補強部材（７８ａ）は、Ｔ字型の断面形状を有し、その尖端部が前記芯材（７６）側に位置するように配置されている、
請求項１から３のいずれかに記載の空気調和機（１）のフィルタ清掃機構（４０）。
【請求項５】
前記補強部材（７８ａ）は、Ｌ字型の断面形状を有し、その尖端部が前記芯材（７６）側に位置するように配置されている、
請求項１から３のいずれかに記載の空気調和機（１）のフィルタ清掃機構（４０）。
【請求項６】
前記補強部材（７８ａ）は、三角形の断面形状を有し、その尖端部が前記芯材（７６）側に位置するように配置されている、
請求項１から３のいずれかに記載の空気調和機（１）のフィルタ清掃機構（４０）。
【請求項７】
前記補強部材（７８ａ）の内側端部（６１）のうち前記芯材（７６）に対向する部分は、前記芯材（７６）から遠ざかるように凹んだ形状を有する、
請求項１から６のいずれかに記載の空気調和機（１）のフィルタ清掃機構（４０）。
【請求項８】
請求項１から７のいずれかに記載のフィルタ清掃機構（４０）を備える空気調和機（１）。
【発明の詳細な説明】
【技術分野】
【０００１】
本発明は、空気調和機のフィルタ清掃機構および空気調和機に関する。
【背景技術】
【０００２】
空気調和機には、通常、室内から取り込まれた空気から塵埃を除去するフィルタが備えられているが、このフィルタに塵埃が付着して堆積すると通風抵抗が増大してしまう。このため、フィルタを自動的に清掃するフィルタ清掃機構を備えた空気調和機が提案されている（特許文献１参照）。この種のフィルタ清掃機構では、ブラシ部がフィルタ表面に接触することにより、フィルタから塵埃を除去してフィルタを清掃することができる。
【特許文献１】実開昭６２−１６０２２１号公報
【発明の開示】
【発明が解決しようとする課題】
【０００３】
本発明の発明者は、上記のようなブラシ部を用いたフィルタ清掃機構において、ブラシ部を支持するフレーム部に開口が設けられ、この開口からブラシ部の線材が突出するようにブラシ部がフレーム部に支持される構造を案出した。この構造においては、開口から突出する線材がフィルタに接触することによりフィルタから塵埃を除去することができる。また、フレーム部には、開口に亘って補強部材が設けられており、開口を設けたことによるフレーム部の強度の低下を防止することができる。
【０００４】
しかし、上記のように補強部材が開口に亘って設けられると、開口から突出するブラシ部の線材が補強部材に接触して線材が大きく変形する恐れがある。また、線材の変形を小さくするために補強部材の厚さを小さくすると、補強部材の強度が低下してフレーム部の強度を向上させることが困難になる。
【０００５】
本発明の課題は、フレーム部の強度を向上させると共にブラシ部の線材の変形を抑えることができる空気調和機のフィルタ清掃機構および空気調和機を提供することにある。
【課題を解決するための手段】
【０００６】
第１発明に係る空気調和機のフィルタ清掃機構は、フィルタと、フレーム部と、ブラシ部とを備える。フィルタは、透過する空気から塵埃を除去する。フレーム部には、開口と、開口に亘って設けられた補強部材とが設けられている。ブラシ部は、フレーム部に支持される芯材と、芯材の周面に設けられた複数の線材とを有し、フレーム部の開口を通ってフレーム部から外部に突出する線材がフィルタに接触することによりフィルタから塵埃を除去する。そして、補強部材は、芯材側に位置する内側端部と、内側端部よりも芯材と反対側に位置し、内側端部よりも厚さが大きい外側部分とを有する。
【０００７】
この空気調和機のフィルタ清掃機構では、補強部材が内側端部よりも厚さの大きい外側部分を有している。このため、補強部材の強度を向上させることができる。また、芯材側に位置する内側端部が、外側部分よりも小さくなっているため、補強部材が線材と接触することによる線材の変形を小さくすることができる。これにより、この空気調和機のフィルタ清掃機構では、フレーム部の強度を向上させると共にブラシ部の線材の変形を抑えることができる。
【０００８】
第２発明に係る空気調和機のフィルタ清掃機構は、第１発明のフィルタ清掃機構であって、外側部分は、補強部材のうち芯材と反対側に位置する外側端部である。
【０００９】
この空気調和機のフィルタ清掃機構では、補強部材のうち外側端部の厚さが、内側端部よりも大きいため、補強部材全体の厚さが小さい場合と比べて補強部材の強度を向上させることができる。また、芯材側に位置する内側端部の厚さが、外側端部の厚さよりも小さいため、補強部材が線材と接触することによる線材の変形を小さくすることができる。これにより、この空気調和機のフィルタ清掃機構では、フレーム部の強度を向上させると共にブラシ部の線材の変形を抑えることができる。
【００１０】
第３発明に係る空気調和機のフィルタ清掃機構は、第２発明のフィルタ清掃機構であって、芯材の表面から補強部材の外側端部までの距離は、線材の長さよりも小さい。
【００１１】
この空気調和機のフィルタ清掃機構では、芯材の表面から補強部材の外側端部までの距離が線材の長さよりも小さい。このため、線材がフィルタと接触するように配置されても、補強部材がフィルタに干渉することを抑えることができる。また、このような場合、補強部材が複数の線材の間に埋もれた状態となり、補強部材が線材に与える影響が大きくなるが、補強部材の内側端部の厚さが小さいため、線材の変形を小さく抑えることができる。
【００１２】
第４発明に係る空気調和機のフィルタ清掃機構は、第１発明から第３発明のいずれかのフィルタ清掃機構であって、補強部材は、Ｔ字型の断面形状を有し、その尖端部が芯材側に位置するように配置されている。
【００１３】
この空気調和機のフィルタ清掃機構では、補強部材がＴ字型の断面形状を有しているため、補強部材の強度を向上させることができる。また、補強部材の尖端部が芯材側に位置しているため、補強部材が接触することによる線材の変形を抑えることができる。
【００１４】
第５発明に係る空気調和機のフィルタ清掃機構は、第１発明から第３発明のいずれかのフィルタ清掃機構であって、補強部材は、Ｌ字型の断面形状を有し、その尖端部が芯材側に位置するように配置されている。
【００１５】
この空気調和機のフィルタ清掃機構では、補強部材がＬ字型の断面形状を有しているため、補強部材の強度を向上させることができる。また、補強部材の尖端部が芯材側に位置しているため、補強部材が接触することによる線材の変形を抑えることができる。
【００１６】
第６発明に係る空気調和機のフィルタ清掃機構は、第１発明から第３発明のいずれかのフィルタ清掃機構であって、補強部材は、三角形の断面形状を有し、その尖端部が芯材側に位置するように配置されている。
【００１７】
この空気調和機のフィルタ清掃機構では、補強部材が三角形の断面形状を有しているため、補強部材の強度を向上させることができる。また、補強部材の尖端部が芯材側に位置しているため、補強部材が接触することによる線材の変形を抑えることができる。
【００１８】
第７発明に係る空気調和機のフィルタ清掃機構は、第１発明から第６発明のいずれかのフィルタ清掃機構であって、補強部材の内側端部のうち芯材に対向する部分は、芯材から遠ざかるように凹んだ形状を有する。
【００１９】
この空気調和機のフィルタ清掃機構では、補強部材の内側端部のうち芯材に対向する部分が、芯材から遠ざかるように凹んだ形状を有しており、補強部材が線材の根本部分よりもできるだけ先端側に接触するように構成されている。このため、補強部材が接触することによる線材の変形を抑えることができる。
【００２０】
第８発明に係る空気調和機は、第１発明から第７発明のいずれかのフィルタ清掃機構を備える。
【００２１】
この空気調和機では、フィルタ清掃機構において、補強部材のうち芯材側に位置する内側端部の厚さが、芯材とは反対側に位置する外側端部の厚さよりも小さい。このため、補強部材が線材と接触することによる線材の変形を小さくすることができる。また、補強部材の外側端部の厚さは内側端部よりも大きいため、補強部材全体の厚さが小さい場合と比べて補強部材の強度を向上させることができる。これにより、この空気調和機では、フィルタ清掃機構のフレーム部の強度を向上させると共にブラシ部の線材の変形を抑えることができる。
【発明の効果】
【００２２】
第１発明の空気調和機のフィルタ清掃機構では、補強部材が内側端部よりも厚さの大きい外側部分を有している。このため、補強部材の強度を向上させることができる。また、芯材側に位置する内側端部が、外側部分よりも小さくなっているため、補強部材が線材と接触することによる線材の変形を小さくすることができる。これにより、この空気調和機のフィルタ清掃機構では、フレーム部の強度を向上させると共にブラシ部の線材の変形を抑えることができる。
【００２３】
第２発明の空気調和機のフィルタ清掃機構では、補強部材のうち外側端部の厚さが、内側端部よりも大きいため、補強部材全体の厚さが小さい場合と比べて補強部材の強度を向上させることができる。また、芯材側に位置する内側端部の厚さが、外側端部の厚さよりも小さいため、補強部材が線材と接触することによる線材の変形を小さくすることができる。これにより、この空気調和機のフィルタ清掃機構では、フレーム部の強度を向上させると共にブラシ部の線材の変形を抑えることができる。
【００２４】
第３発明に係る空気調和機のフィルタ清掃機構では、線材がフィルタと接触するように配置されても、補強部材がフィルタに干渉することを抑えることができる。また、補強部材の内側端部の厚さが小さいため、線材の変形を小さく抑えることができる。
【００２５】
第４発明に係る空気調和機のフィルタ清掃機構では、補強部材がＴ字型の断面形状を有しているため、補強部材の強度を向上させることができる。また、補強部材の尖端部が芯材側に位置しているため、補強部材が接触することによる線材の変形を抑えることができる。
【００２６】
第５発明に係る空気調和機のフィルタ清掃機構では、補強部材がＬ字型の断面形状を有しているため、補強部材の強度を向上させることができる。また、補強部材の尖端部が芯材側に位置しているため、補強部材が接触することによる線材の変形を抑えることができる。
【００２７】
第６発明に係る空気調和機のフィルタ清掃機構では、補強部材が三角形の断面形状を有しているため、補強部材の強度を向上させることができる。また、補強部材の尖端部が芯材側に位置しているため、補強部材が接触することによる線材の変形を抑えることができる。
【００２８】
第７発明に係る空気調和機のフィルタ清掃機構では、補強部材の内側端部のうち芯材に対向する部分が、芯材から遠ざかるように凹んだ形状を有しており、補強部材が線材の根本部分よりもできるだけ先端側に接触するように構成されている。このため、補強部材が接触することによる線材の変形を抑えることができる。
【００２９】
第８発明に係る空気調和機では、フィルタ清掃機構において、補強部材のうち芯材側に位置する内側端部の厚さが、芯材とは反対側に位置する外側端部の厚さよりも小さい。このため、補強部材が線材と接触することによる線材の変形を小さくすることができる。また、補強部材の外側端部の厚さは内側端部よりも大きいため、補強部材全体の厚さが小さい場合と比べて補強部材の強度を向上させることができる。これにより、この空気調和機では、フィルタ清掃機構のフレーム部の強度を向上させると共にブラシ部の線材の変形を抑えることができる。
【発明を実施するための最良の形態】
【００３０】
＜空気調和機の構成＞
本発明の一実施形態に係る空気調和機１を図１および図２に示す。この空気調和機１は、室内の壁面に取り付けられる壁掛け型の室内機であり、図示しない室外機と冷媒配管及び通信線によって接続される。空気調和機１は、本体ユニット１０と、前面グリル５０と、前面パネル６０と、フィルタ清掃機構４０とを備えている。なお、図１は空気調和機１の分解斜視図であり、図２は空気調和機１の縦断面図である。
【００３１】
〔本体ユニット１０〕
本体ユニット１０は、底フレーム１１、室内熱交換器１２、送風ファン１３、電装品ユニット１４等を有する。
【００３２】
底フレーム１１には、室内熱交換器１２、送風ファン１３、電装品ユニット１４等が取り付けられている。また、底フレーム１１の前面下部には、吹出し口１５が設けられており、吹出し口１５から吹き出される空気を案内する水平フラップ１７が設けられている。水平フラップ１７は、フラップモータ１８（図７参照）によって回転駆動され、空気の案内方向を変更したり、吹出し口１５を開閉したりすることができる。
【００３３】
室内熱交換器１２は、複数のフィンと、冷媒が流れる伝熱管とによって構成されており、通過する空気との間で熱交換を行う。
【００３４】
送風ファン１３は、室内から取り込まれ室内熱交換器１２によって温度調整された後に吹出し口１５から室内に吹き出される空気の流れを生成する。送風ファン１３は、クロスフローファンであり、室内ファンモータ１９（図７参照）によって回転駆動される。
【００３５】
〔前面グリル５０および前面パネル６０〕
前面グリル５０は、後述するフィルタユニット２０を覆うように取り付けられている。図１に示すように、前面グリル５０の天面には上部吸込み口５１が形成されており、前面グリル５０の前面には前部吸込み口５２が形成されている。前面グリル５０の前面には、前面グリルの前面を覆うように前面パネル６０が取り付けられている。前面パネル６０は下端部を中心に回動することによって、前面グリル５０の前部吸込み口５２を開閉することができる。
【００３６】
また、前面グリル５０には、空気調和機１の運転状況を表示する表示部５３（図７参照）が設けられている。表示部５３は、空気調和機１の前方から視認可能なように設けられている。表示部５３は、複数のＬＥＤからなり、点灯の有無で空気調和機１の運転状況を表示する。
【００３７】
〔フィルタ清掃機構４０〕
フィルタ清掃機構４０は、フィルタ２１に付着した塵埃を自動的に清掃する機構であり、フィルタユニット２０とブラシユニット７０とを備える。
【００３８】
〈フィルタユニット２０〉
フィルタユニット２０は、本体ユニット１０の底フレーム１１に取り付けられており、フィルタユニットフレーム２２、フィルタ２１、フィルタ駆動ギア２３、フィルタ駆動部２４（図７参照）などを備えている。
【００３９】
フィルタユニットフレーム２２は、フィルタ２１を支持する部材であり、室内熱交換器１２よりも風上側に配置されている。フィルタユニットフレーム２２は、室内熱交換器１２の前方および上方を覆うように屈曲した形状を有しており、フィルタユニットフレーム２２の室内熱交換器１２に対向する部分には格子状の開口が設けられている。また、図２に示すように、フィルタユニットフレーム２２の内側面には、フィルタ２１の側端部に接触してフィルタ２１を案内するガイド部２５が形成されている。ガイド部２５は、フィルタユニットフレーム２２の上面に沿って設けられた上ガイド部２６と、フィルタユニットフレーム２２の前面に沿って緩やかに湾曲した形状を有する前ガイド部２７と、フィルタユニットフレーム２２の背面に沿って緩やかに湾曲した後ガイド部２８と、前ガイド部２７の下端と後ガイド部２８の下端との下方に配置された下ガイド部２９とを有する。なお、前ガイド部２７の上端と後ガイド部２８の上端とはそれぞれ上ガイド部２６と繋がっている。また、下ガイド部２９は、前ガイド部２７から後ガイド部２８へ又は後ガイド部２８から前ガイド部２７へフィルタ２１を折り返すように下に凸に湾曲した円弧状の形状を有している。
【００４０】
フィルタ２１は、室内および室外から取り込まれた空気が透過するように室内熱交換器１２の前面側（風上側）に配置されており、透過した空気から塵埃を除去する。これにより、フィルタ２１は、空気中に浮遊する塵埃が室内熱交換器１２を汚染するのを防止する。
【００４１】
フィルタ駆動ギア２３は、下ガイド部２９に対してフィルタ２１が通る隙間を隔てて下ガイド部２９の上方に配置されている。フィルタ駆動ギア２３は、フィルタ２１の側端部に係止し、フィルタ駆動部２４によって回転駆動されることによって、フィルタ２１をガイド部２５に沿って移動させる。
【００４２】
フィルタ駆動部２４は、後述する制御部８０によって制御されるモータであり、フィルタユニットフレーム２２に取り付けられている。フィルタ駆動部２４は、上述したようにフィルタ駆動ギア２３を回転駆動する。
【００４３】
〈ブラシユニット７０〉
ブラシユニット７０は、フィルタ２１の清掃を行う機能を有するものであり、前面パネル６０の下部において、本体ユニット１０の吹出し口１５の上部位置に取り付けられている。このブラシユニット７０は、前面パネル６０が閉じた状態で、前面パネル６０とは干渉することなく、外部から着脱可能である。ブラシユニット７０は、フレーム部７１と、ブラシ部７２と、ブラシ駆動部７３（図７参照）と、ブラシ清掃部７４と、塵埃受け部７５とを有する。
【００４４】
フレーム部７１は、図３および図４に示すように、空気調和機１の長手方向に沿った細長い外形を有しており、ブラシ部７２が着脱可能に取り付けられる。なお、図３は、ブラシユニット７０を斜め上方から見た斜視図であり、図４は、ブラシユニット７０の上面図である。フレーム部７１の上面には開口７１ａ，７１ｂが形成されており、フレーム部７１の上面の開口７１ａ，７１ｂを通してブラシ部７２がフレーム部７１の上方の空間に露出している。ここで、開口７１ａ，７１ｂには、第１開口７１ａと第２開口７１ｂとの２つがあり、フレーム部７１の長手方向に並んで配置されている。
【００４５】
また、フレーム部７１には、補強のための補強部材７８ａ−７８ｄが開口７１ａ，７１ｂに亘って設けられている。ここで、補強部材７８ａ−７８ｄには、第１補強部材７８ａから第４補強部材７８ｄまでの４つがあり、フレーム部７１の長手方向に並んで配置されている。第１補強部材７８ａは、第１開口７１ａの前縁部から後縁部に亘って設けられ、前後方向に延びた形状を有している。図５に示すように、第１補強部材７８ａは、ブラシ部７１の芯材７６の上方に配置されている。第１補強部材７８ａは、芯材７６側すなわち下方に向けて凸に湾曲した形状を有しており、第１補強部材７８ａの内側端部６１のうち芯材７６に対向する部分は、芯材７６から遠ざかるように上方に凹んだ円弧状の形状を有する。ここで、第１補強部材７８ａのうち芯材７６側すなわち下側に位置する端部を「内側端部６１」と呼び、芯材７６とは反対側すなわち上側に位置する端部を「外側端部６２」と呼ぶこととする。第１補強部材７８ａは、図６に示すように、Ｔ字型の断面形状を有し、その尖端部すなわち内側端部６１が芯材７６側に位置するように配置されている。従って、第１補強部材７８ａの内側端部６１の厚さｄ１は、外側端部６２の厚さｄ２よりも小さくなっている。第２補強部材７８ｂ、第３補強部材７８ｃ、第４補強部材７８ｄの構造も第１補強部材７８ａと同様である。
【００４６】
なお、フレーム部７１は、下ガイド部２９において折り返される際のフィルタ２１の折返し部分の下方に位置するように配置されており（図２参照）、フレーム部７１の上面の開口７１ａ，７１ｂを通してブラシ部７２がフィルタ２１の折返し部分に接触するように構成されている。また、フレーム部７１の下面は開放されており、塵埃受け部７５によって閉じられる。
【００４７】
ブラシ部７２は、図５に示すように、フレーム部７１に回転可能に支持される芯材７６と、芯材７６の周面に設けられた複数の線材７７とを有する。線材７７は、弾性を有する樹脂材料から形成されている。芯材７６の表面から第１補強部材７８ａの外側端部６２までの距離は、線材７７の長さよりも小さくなっており、線材７７は、フレーム部７１の開口７１ａ，７１ｂを通ってフレーム部７１から外部に突出している。このように、開口７１ａ，７１ｂから上方に突出する線材７７がフィルタ２１に接触することによりフィルタ２１から塵埃を除去することができる。芯材７６は、空気調和機１の長手方向に平行な回転軸を有する細長い円筒形状を有しており、ブラシ駆動部７３によって回転駆動される。なお、芯材７６の両端部および中央部分は図示しない軸受によって軸支されるため、線材７７は、芯材７６の両端部および中央部分を避けて設けられている。
【００４８】
ブラシ駆動部７３は、後述する制御部８０によって制御されるモータであり、ブラシ部７２を回転駆動する。
【００４９】
ブラシ清掃部７４は、図５に示すように、フレーム部７１の下端に取り付けられており、ブラシ部７２の回転軸方向に沿って配置されブラシ部７２に接触する櫛状の形状を有する。ブラシ清掃部７４は、フレーム部７１の背面の下端部からブラシ部７２に向けて斜め前上方に突出するように設けられており、鉛直方向に対して、線材７７がブラシ清掃部７４の櫛歯に向かう方向（図５の矢印Ａ１参照）と反対側に傾斜している。また、ブラシ清掃部７４は、芯材７６よりも下側において線材７７の先端部に接触するように且つ芯材７６の中心の真下よりも後方に配置されており、ブラシ部７２が回転することによって、ブラシ部７２から塵埃を下方に掻き落とすことができる。
【００５０】
塵埃受け部７５は、フレーム部７１に取り付けられた状態でブラシ清掃部７４の下方に配置される。塵埃受け部７５は、ブラシ清掃部７４によってブラシ部７２から掻き落とされた塵埃をブラシ清掃部７４の下方で受け止め、貯留することができる。また、塵埃受け部７５は、フレーム部７１に着脱可能に取り付けられているため、塵埃受け部７５を取り外すことによって、塵埃受け部７５に貯留された塵埃を容易に処理することができる。
【００５１】
〔制御部８０〕
図７に示す制御部８０は、空気調和機１の電装品ユニット１４と室外機の電装品ユニット（図示せず）とに分かれて設けられており、リモコン８１からの指示や、各種のセンサ（図示せず）からの情報に基づいて、冷房運転や暖房運転などの各種の空気調和運転を行うことができる。また、この空気調和機１では、フィルタ２１を自動的に清掃するフィルタ清掃運転を行うことができる。以下、フィルタ清掃運転時の動作について説明する。
【００５２】
まず、上記の空気調和運転時には、フィルタ２１が図２に示す通常位置に位置した状態で運転が行われる。この通常位置では、フィルタ２１は、上ガイド部２６、前ガイド部２７に沿って配置されており、フィルタ２１の下端はフィルタ駆動ギア２３と下ガイド部２９との間に位置している。そして、前回のフィルタ清掃運転の実行から所定時間が経過した等の所定のフィルタ清掃運転開始条件が満たされた場合に、フィルタ清掃運転が開始される。
【００５３】
まず、制御部８０は、図２の状態から、フィルタ駆動部２４を駆動することによりフィルタ２１を移動させると共に、ブラシ駆動部７３を駆動することによってブラシ部７２を回転駆動する。そうすると、フィルタ２１の上部が上ガイド部２６に沿って下降すると共に、フィルタ２１の下部は下ガイド部２９において上方に折り返され、後ガイド部２８に沿って上昇していく。この際、ブラシ部７２も回転しており、ブラシ部７２の上部がフレーム部７１の開口７１ａ，７１ｂ（図３参照）を通してフィルタ２１の表面に接触することにより、フィルタ２１の表面から塵埃を除去する。また、ブラシ部７２の下部はブラシ清掃部７４に接触しており（図５参照）、ブラシ部７２が回転することにより、ブラシ部７２に付着していた塵埃がブラシ清掃部７４の櫛歯によってブラシ部７２から塵埃受け部７５に掻き落とされる。フィルタ２１の上端が下ガイド部２９まで達すると、フィルタ駆動部２４が停止され、フィルタ２１の移動が停止する。
【００５４】
次に、フィルタ駆動部２４が逆方向に駆動され、フィルタ２１が上記とは逆方向に移動する。この際、ブラシ駆動部７３の駆動は停止されている。そして、フィルタ２１が、図２に示す通常使用位置にまで復帰したときにフィルタ駆動部２４が停止され、フィルタ清掃運転が完了する。
【００５５】
なお、このフィルタ清掃運転時には、前面パネル６０および水平フラップ１７は共に閉状態とされる。
【００５６】
＜特徴＞
（１）
この空気調和機１のフィルタ清掃機構４０では、補強部材７８ａのうち芯材７６側に位置する内側端部６１の厚さｄ１が、芯材７６とは反対側に位置する外側端部６２の厚さｄ２よりも小さい。このため、線材７７の根本に近い部分に接触する補強部材７８ａ−７８ｄの厚さｄ１が小さくなっており、補強部材７８ａが線材７７と接触することによる線材７７の変形を小さくすることができる。他の補強部材７８ｂ−７８ｄについても同様である。
【００５７】
また、補強部材７８ａ−７８ｄはＴ字型の断面形状を有しており、外側端部６２の厚さｄ２は内側端部６１の厚さｄ１よりも大きくなっている。このため、補強部材７８ａ−７８ｄの強度を向上させることができ、フレーム部７１の強度を向上させることができる。
【００５８】
これにより、この空気調和機１のフィルタ清掃機構４０では、フレーム部７１の強度を向上させると共にブラシ部７２の線材７７の変形を抑えることができる。
【００５９】
（２）
この空気調和機１のフィルタ清掃機構４０では、補強部材７８ａ−７８ｄが芯材７６側に向けて湾曲した形状となっており、線材７７と接触するフィルタ２１と補強部材７８ａ−７８ｄとの干渉が防止されている。
【００６０】
また、補強部材７８ａ−７８ｄが芯材７６側に向けて湾曲した形状となっていると補強部材７８ａ−７８ｄが線材７７の根本部分に接触して線材７７を大きく変形させる恐れが生じるが、このフィルタ清掃機構４０では、補強部材７８ａ−７８ｄの内側端部６１のうち芯材７６に対向する部分が凹んだ形状となっていることにより、線材７７の変形を小さく抑えることができる。
【００６１】
＜他の実施形態＞
（１）
上記の実施形態では、補強部材７８ａ−７８ｄは、Ｔ字型の断面形状を有しているが、図８に示すように、Ｌ字型の断面形状を有する補強部材が用いられ、その尖端部が芯材７６側に位置するように配置されてもよい。
【００６２】
（２）
上記の実施形態では、補強部材７８ａ−７８ｄは、Ｔ字型の断面形状を有しているが、図９に示すように、三角形の断面形状を有する補強部材が用いられ、その尖端部が芯材７６側に位置するように配置されてもよい。すなわち、芯材７６側に向けて徐々に厚さが小さくなる先細りの形状を有する補強部材が備えられてもよい。
【００６３】
（３）
補強部材７８ａ−７８ｄの形状は、上記のようなＴ字型、Ｌ字型、三角形に限らず、内側端部６１よりも芯材７６と反対側に位置し、内側端部６１よりも厚さが大きい外側部分を有するものであればよい。例えば、図１０に示すように、外側部分として補強部材７８ａの中間部分６３が、内側端部６１の厚さｄ１よりも大きい厚さｄ３を有するとなっている形状であってもよい。なお、この補強部材７８ａでは、中間部分６３から外側端部６４までの部分が芯材７６と反対側ほど先細りであり且つ中間部分６３から内側端部６１までの部分が芯材７６側ほど先細りの形状となっている。
【００６４】
（４）
上記の実施形態では４つの補強部材７８ａ−７８ｄが設けられているが、補強部材の数はこれに限られるものではない。
【産業上の利用可能性】
【００６５】
本発明は、フレーム部の強度を向上させると共にブラシ部の線材の変形を抑えることができる効果を有し、空気調和機のフィルタ清掃機構および空気調和機として有用である。
【図面の簡単な説明】
【００６６】
【図１】空気調和機の分解斜視図。
【図２】空気調和機の縦断面図。
【図３】ブラシユニットの斜視図。
【図４】ブラシユニットの上面図。
【図５】ブラシユニットの縦断面図。
【図６】補強部材の断面図。
【図７】空気調和機の制御ブロック図。
【図８】他の実施形態に係る補強部材の断面図。
【図９】他の実施形態に係る補強部材の断面図。
【図１０】他の実施形態に係る補強部材の断面図。
【符号の説明】
【００６７】
１      空気調和機
２１    フィルタ
４０    フィルタ清掃機構
６１    内側端部
６２    外側端部（外側部分）
６３    中間部分（外側部分）
７１    フレーム部
７１ａ  開口
７２    ブラシ部
７６    芯材
７７    線材
７８ａ  補強部材
【図１】
2008145057.tif 000003
【図２】
2008145057.tif 000004
【図３】
2008145057.tif 000005
【図４】
2008145057.tif 000006
【図５】
2008145057.tif 000007
【図６】
2008145057.tif 000008
【図７】
2008145057.tif 000009
【図８】
2008145057.tif 000010
【図９】
2008145057.tif 000011
【図１０】
2008145057.tif 000012